(57)【要約】【課題】樹脂製蓋における耐衝撃性を効果的に向上させることができるとともに、樹脂成形品を射出成形あるいは押出成形したときに発生したスクラップや使用済みとなった廃材を有効活用することができる三層構造の樹脂成形品を利用した樹脂製蓋を提供する。【解決手段】立ち上がり管の上部開口を覆うように設置される樹脂製蓋１０を、中間層Ａと該中間層の内外面を覆う内層Ｂ及び外層Ｃとを有する三層構造の樹脂成形品で形成するとともに、前記中間層を、改質剤を含有する樹脂原料で形成し、前記内層及び外層を、前記改質剤を含有しない未使用の樹脂原料で形成する。さらに、樹脂スクラップや廃材を粉砕して得た再生原料を含有した樹脂原料で中間層を形成することによってスクラップ等を有効活用できる。【選択図】　　図１
2004052391.tif 000002
【特許請求の範囲】
【請求項１】
立ち上がり管の上部開口を覆うように設置される樹脂製蓋を、中間層と該中間層の内外面を覆う内層及び外層とを有する三層構造の樹脂成形品で形成するとともに、前記中間層を、改質剤を含有する樹脂原料で形成し、前記内層及び外層を、前記改質剤を含有しない未使用の樹脂原料で形成したことを特徴とする樹脂製蓋。
【請求項２】
前記中間層を形成する樹脂原料中の改質剤の混合割合が、改質剤を含有しない未使用の樹脂原料１００重量部に対して８〜１５重量部であることを特徴とする請求項２記載の樹脂製蓋。
【請求項３】
立ち上がり管の上部開口を覆うように設置される樹脂製蓋を、中間層と該中間層の内外面を覆う内層及び外層とを有する三層構造の樹脂成形品で形成するとともに、前記中間層を、樹脂スクラップや廃材を粉砕して得た再生原料を含有する樹脂原料で形成し、前記内層及び外層を、前記再生原料を含有しない未使用の樹脂原料で形成したことを特徴とする樹脂製蓋。
【請求項４】
前記樹脂製蓋における樹脂スクラップや廃材の再生原料の割合が、該樹脂製蓋を構成する樹脂原料全体の１０〜８０重量％であることを特徴とする請求項３記載の樹脂製蓋。
【請求項５】
立ち上がり管の上部開口を覆うように設置される樹脂製蓋を、中間層と該中間層の内外面を覆う内層及び外層とを有する三層構造の樹脂成形品で形成するとともに、前記中間層を、樹脂スクラップや廃材を粉砕して得た再生原料及び改質剤を含有する樹脂原料で形成し、前記内層及び外層を、前記再生原料を含有しない未使用の樹脂原料で形成したことを特徴とする樹脂製蓋。
【発明の詳細な説明】
【０００１】
【発明の属する技術分野】
本発明は、樹脂製蓋に関し、詳しくは、耐衝撃性を向上させるとともに、樹脂スクラップや使用済みとなった廃材の有効活用を図れる樹脂製蓋に関する。
【０００２】
【従来の技術】
従来から、マンホール等の立ち上がり管の上部開口を覆う蓋として、合成樹脂、例えばポリ塩化ビニル製の樹脂製蓋が用いられているが、その大きさや肉厚によっては、耐衝撃性が十分ではなく、車両の衝撃や落下物等によって破損してしまうものがあった。樹脂製蓋全体を、改質剤を加えて耐衝撃性を向上させた樹脂原料を蓋全体に使用することもできるが、大幅なコストアップとなってしまう。このため、耐衝撃性が重視される用途には、樹脂製蓋ではなく、金属製蓋を使用するようにしている。
【０００３】
一方、樹脂原料からなる家電製品の筐体や、管継手等の建材製品を射出成形するとき、ゲート等の不要部材やスクラップが発生したり、合成樹脂管を連続して押出成形するとき、成形条件が安定するまでの初期段階に大量のスクラップが発生することがある。また、耐用年数が経過して老朽化した合成樹脂管を更新するとき、使用済みとなった廃材が大量に発生することがある。近年は、このような樹脂スクラップや使用済みとなった廃材の処分がおおきな問題となっている。
【０００４】
【発明が解決しようとする課題】
従来、樹脂スクラップや使用済みとなった廃材は、焼却や埋立等により廃棄処分されていたが、樹脂スクラップ等を焼却処分する場合にはダイオキシン等が発生して環境を汚染するという問題が起きている。また、樹脂スクラップや廃材を地中に埋める場合には、埋める場所が問題となるのは勿論のこと、合成樹脂が長期間に亘って分解・腐食されないため、環境破壊の問題が提起されるに至っている。そこで、樹脂スクラップや使用済みとなった廃材を粉砕し、これを再生原料として利用することが提案されるに至っているが（特開２００１−４１３６２号公報等参照）、その対応は十分とは言い難いものであった。
【０００５】
そこで本発明は、樹脂製蓋における耐衝撃性を効果的に向上させることができるとともに、樹脂成形品を射出成形あるいは押出成形したときに発生したスクラップや使用済みとなった廃材を有効活用することができる三層構造の樹脂成形品を利用した樹脂製蓋を提供することを目的としている。
【０００６】
【課題を解決するための手段】
上記目的を達成するため、本発明の樹脂製蓋は、立ち上がり管の上部開口を覆うように設置される樹脂製蓋を、中間層と該中間層の内外面を覆う内層及び外層とを有する三層構造の樹脂成形品で形成するとともに、前記中間層を、改質剤を含有する樹脂原料で形成し、前記内層及び外層を、前記改質剤を含有しない未使用の樹脂原料で形成したことを特徴としている。
【０００７】
さらに、本発明の樹脂製蓋は、前記中間層を形成する樹脂原料が、改質剤とともに樹脂スクラップや廃材を粉砕して得た再生原料を含有していることを特徴としており、前記樹脂製蓋における樹脂スクラップや廃材の再生原料の割合が、該樹脂製蓋を構成する樹脂原料全体の１０〜８０重量％であること、また、前記再生原料が硬質塩化ビニル樹脂成形品のスクラップや廃材からなる再生原料であり、前記未使用の樹脂原料が硬質塩化ビニル樹脂であることを特徴としている。
【０００８】
【発明の実施の形態】
図１は本発明の一形態例を示す樹脂製蓋の断面図、図２は樹脂製蓋の使用状態を示すマンホールの断面図である。この樹脂製蓋１０は、図２に示すように、排水管２１，２２が接続される排水枡２０の上部に設けた立ち上がり管３０の上部開口を覆うように、蓋受け枠３１を介して装着されるものである。
【０００９】
樹脂製蓋１０は、円盤状の蓋本体１１と、該蓋本体１１の裏面内周側にリング状に設けられた差口部１２とを有しており、表面には滑り止めを兼ねる意匠が施されている。この樹脂製蓋１０は、差口部１２の外周にパッキンを装着して蓋受け枠３１の小径部に挿入するとともに、蓋本体１１を蓋受け枠３１の大径部内に嵌め込むようにして装着される。
【００１０】
上記樹脂製蓋１０は、中間層Ａと、該中間層Ａの内外面を覆う内層Ｂ及び外層Ｃとを有する三層構造の樹脂成形品であって、前記中間層Ａには、耐衝撃性を改善する改質剤及び再生原料を含有する樹脂原料を使用し、前記内層Ｂ及び外層Ｃには再生原料を含有しない未使用の樹脂原料を使用した射出成形によって製造されている。
【００１１】
なお、図１に示すマンホールでは、排水枡２０、立ち上がり管３０及び蓋受け枠３１として、樹脂スクラップや廃材を粉砕して得た再生原料を含有する樹脂原料を使用した中間層と、再生原料を含有しない未使用の樹脂原料を使用した前記内層及び外層とからなる三層構造の樹脂成形品をそれぞれ使用している。
【００１２】
前記中間層Ａに用いられる耐衝撃性改質剤は、樹脂の種類に応じて適当なものを使用することができ、混合量も樹脂の種類や改質の程度に応じて適当に設定することができる。改質剤としては、ゴム系物質、例えばＭＢＳ樹脂等を使用することができ、その他の添加剤として、スズ安定剤、熱安定剤、滑剤、加工助剤、顔料、可塑剤、充填剤、耐電防止剤、紫外線吸収剤、難燃剤等の各種の添加剤を添加することができる。
【００１３】
好適な配合例としては、ポリ塩化ビニル１００重量部に対し、改質剤８〜１５重量部、安定剤０．５〜３重量部、滑剤０．１〜１．０重量部、加工助剤０．１〜１．０重量部、顔料０．１〜１．０重量部を挙げることができる。
【００１４】
また、樹脂スクラップや廃材を粉砕して得た再生原料は、ポリ塩化ビニル、ポリエチレン、ポリプロピレン等からなる樹脂成形品、例えばペットボトル、家電製品の筐体や管継手等の建材製品の廃材、射出成形の際に発生したゲート等の不要部材やスクラップを粉砕して得たものである。中間層Ａを構成する樹脂原料の主成分としては、再生原料のみ、あるいはこの再生原料に未使用の樹脂原料を混合したものを使用することができ、また、内層Ｂ及び外層Ｃを構成する樹脂原料としては、前記中間層Ａと相溶性のある樹脂原料であって、再生原料を含有しないポリ塩化ビニル、ポリエチレン、ポリプロピレン等の未使用の樹脂原料が使用できる。
【００１５】
このように中間層Ａと、該中間層Ａの内外面を覆う内層Ｂ及び外層Ｃとして各種の樹脂原料が使用できるが、塩化ビニル樹脂からなる使用済みの廃材やスクラップが大量に発生している現状や、排水枡２０に接続する前記排水管２１，２２として硬質塩化ビニル樹脂からなるパイプが多用されていることを勘案すると、中間層Ａには硬質塩化ビニル樹脂からなる再生原料が好適に使用でき、この中間層Ａの内外面を覆う内層Ｂ及び外層Ｃには、再生原料を含有しない未使用の硬質塩化ビニル樹脂が好適に使用できる。
【００１６】
また、蓋１０を構成する樹脂原料全体に占める前記再生原料の割合は、１０〜８０重量％とするのが好ましい。この再生原料の割合が１０重量％未満では、廃材やスクラップを有効活用するという点では十分な効果が期待できず、逆にこの割合が８０重量％を超えると再生原料を含有しない樹脂原料からなる内層Ｂ及び外層Ｃが肉薄となるため、内層Ｂ及び外層Ｃから中間層Ａを構成する再生原料が部分的にはみ出して外観を損ねるという事態が発生することになる。因みに、サイズ５０〜３５０の蓋における本体部分の肉厚は５〜２０ｍｍ程度となる。
【００１７】
前記立ち上がり管３０は、従来から行われている三層管の押出成形技術を適用して製造できるが、蓋１０や排水枡２０、蓋受け枠３１は、樹脂流路を２本有する射出成形機を使用して製造することができる。蓋１０の射出成形は、蓋１０の外形に対応した成形キャビティを有する金型のゲートに、図１に想像線で示すように、再生原料を含有しない未使用の樹脂原料を射出するための第一樹脂流路４１と、前記改質剤及び再生原料を含有する樹脂原料を射出するための第二樹脂流路４２とを備えた射出成形機のノズル４０を当接させ、このノズル４０から両原料樹脂を所定の順序で所定量を成形キャビティ内に射出することにより行われる。なお、ゲートの位置は任意であるが、蓋１０の下部に設けられた差口部１２の下端にゲートを位置させることにより、ゲート跡（ゲート口部）を目立たない位置にすることができる。
【００１８】
射出成形操作は、金型を型締めして成形キャビティを形成した後、まず最初に、第一樹脂流路４１から再生原料を含有しない未使用の樹脂原料を所定量射出する。次いで、改質剤及び再生原料を含有する樹脂原料を第二樹脂流路４２から成形キャビティ内に射出し、該キャビティ内を樹脂原料でほぼ充満させる。
【００１９】
このとき、先に成形キャビティ内に射出された再生原料を含有しない未使用の樹脂原料中に後から射出された改質剤及び再生原料を含有する樹脂原料が潜り込み、双方の樹脂原料がキャビティの末端部まで満遍なく行き渡る。すなわち、中間層Ａとなる改質剤及び再生原料を含有する樹脂原料の表面がスキン層（内層Ｂ及び外層Ｃ）で覆われた状態でキャビティの末端部まで満遍なく行き渡るため、内層Ｂ及び外層Ｃから中間層Ａがはみ出すこともない。なお、最初に射出する再生原料を含有しない未使用の樹脂原料と、その後で射出する改質剤及び再生原料を含有する樹脂原料の割合は、中間層Ａと内層Ｂ及び外層Ｃの肉厚や、樹脂原料の種類等を考慮して適宜設定することができる。
【００２０】
最後に、第一樹脂流路４１から再生原料を含有しない未使用の樹脂原料を少量成形キャビティ内に射出する。これにより、ゲートに対応するゲート口部を再生原料を含有しない樹脂原料で覆うことができるとともに、次のショットのためにノズル４０の先端部の滞留樹脂を改質剤や再生原料を含有しない未使用の樹脂原料に置換することができる。以上の成形工程を経て金型を型開きすると、図１に示したように外観良好な蓋１０が得られる。
【００２１】
なお、上記説明では、樹脂製蓋の中間層として、改質剤及び再生原料の双方を含有した樹脂原料を使用したが、再生原料を使用せずに改質剤のみを含有させることによって樹脂製蓋の耐衝撃性を向上させることができ、また、改質剤を使用せずに再生原料のみを含有させることによってスクラップや廃材の有効活用が図れる。そして、改質剤及び再生原料の双方を含有させることにより、耐衝撃性の向上とスクラップや廃材の有効活用が図れることになる。
【００２２】
【発明の効果】
以上説明したように、本発明の樹脂製蓋によれば、三層構造の中間層に改質剤を含有する樹脂原料を使用して樹脂製蓋の耐衝撃性を向上させるようにしたので、蓋全体の樹脂に改質剤を添加したものに比べて低コストで所要の耐衝撃性を得ることができる。さらに、中間層に再生原料を含有させることにより、樹脂成形品を射出成形あるいは押出成形したときに発生したスクラップや、老朽化して使用済みとなった廃材を有効活用することができる。また、改質剤や再生原料を含有する中間層の樹脂原料を内層や外層からはみ出させることなく、外観良好な三層構造の蓋が得られる。
【図面の簡単な説明】
【図１】本発明の一形態例を示す樹脂製蓋の断面図である。
【図２】樹脂製蓋の使用状態を示すマンホールの断面図である。
【符号の説明】
１０…樹脂製蓋、１１…蓋本体、１２…差口部、２０…排水枡、２１，２２…排水管、３０…立ち上がり管、３１…蓋受け枠、４０…ノズル、４１…第一樹脂流路、４２…第二樹脂流路、Ａ…中間層、Ｂ…内層、Ｃ…外層
【図１】
2004052391.tif 000003
【図２】
2004052391.tif 000004